(57)【特許請求の範囲】
【請求項１】
複数の誘電体層が積層された略直方体形状の素体と、
前記複数の誘電体層のうち何れかの誘電体層上にそれぞれ配置された少なくとも８つの内部電極層と、
前記素体の対向する側面に互いの極性が異なるように交互に配置された少なくとも８つの端子電極と、を備え、
前記８つの内部電極層のそれぞれは、前記側面と交差する方向に沿って前記素体に形成された端面の対向方向に伸びる主電極部と、前記主電極部を前記側面に引き出すための引出電極部とを有し、
前記８つの内部電極層のそれぞれは、前記８つの端子電極の何れかに対となるように前記引出電極部によって接続されており、
前記８つの端子電極のうち前記端面側に配置された少なくとも１つの前記端子電極に接続された前記内部電極層は、前記主電極部と前記引出電極部とを連結する連結電極部を更に有し、
前記連結電極部は、当該連結電極部を有する前記内部電極層に接続された前記端子電極が配置された何れかの前記端面側の前記主電極部の縁部に接続され、且つ、前記側面の対向方向における当該長さが前記引出電極部の前記端面の対向方向における幅よりも長くなっており、
前記連結電極部を有しない前記内部電極層同士が前記誘電体層の積層方向において隣接していることを特徴とする積層コンデンサ。
【請求項２】
前記端面それぞれの側に配置された全ての前記端子電極に接続された各前記内部電極層が前記連結電極部を有することを特徴とする請求項１に記載の積層コンデンサ。
【請求項３】
前記連結電極部は、前記連結電極部に接続される前記引出電極部が引き出される側面に対向する側面側において、前記主電極部の縁部に接続されていることを特徴とする請求項１又は２に記載の積層コンデンサ。
【請求項４】
前記連結電極部は、当該連結電極部を有する前記内部電極層とは異なる他の前記内部電極層と、前記誘電体層の積層方向において、対向しないことを特徴とする請求項１〜３の何れか一項に記載の積層コンデンサ。
【請求項５】
前記連結電極部を有する前記内部電極層の積層数が、前記連結電極部を有しない前記内部電極層の積層数と同じであることを特徴とする請求項１〜４の何れか一項に記載の積層コンデンサ。
【請求項６】
前記連結電極部を有する前記内部電極層の積層数が、前記連結電極部を有しない前記内部電極層の積層数よりも多いことを特徴とする請求項１〜４の何れか一項に記載の積層コンデンサ。
【請求項７】
前記連結電極部を有する前記内部電極層の積層数が、前記連結電極部を有しない前記内部電極層の積層数よりも少ないことを特徴とする請求項１〜４の何れか一項に記載の積層コンデンサ。
【請求項８】
前記８つの端子電極は、前記側面の対向方向において互いに対向する対の端子電極から構成され、前記対の端子電極それぞれが互いに異極性であることを特徴とする請求項１〜７の何れか一項に記載の積層コンデンサ。
【請求項９】
前記引出電極部の幅が前記連結電極部の幅よりも狭いことを特徴とする請求項１〜８の何れか一項に記載の積層コンデンサ。
【発明の詳細な説明】
【技術分野】
【０００１】
本発明は、積層コンデンサに関する。
【背景技術】
【０００２】
従来、複数の誘電体層が積層された素体と、その素体内に配置された内部電極層と、素体の側面等に互いの極性が異なるように配置され、各内部電極層に接続される端子電極とを備えた積層コンデンサが知られている（例えば特許文献１）。このような積層コンデンサでは、隣接する端子電極が異極性であることから、ある端子電極に流れこむ電流とその端子電極に隣接する端子電極からの電流とが互いに逆向きの方向となるため、それぞれの電流による磁束が相殺される。このため、隣接する端子電極が異極性である積層コンデンサでは、その積層コンデンサの等価直列インダクタンス（以下、「ＥＳＬ」と記す）を効果的に低減することができるようになっている。
【先行技術文献】
【特許文献】
【０００３】
【特許文献１】特開２００４−２３５５５６号公報
【発明の概要】
【発明が解決しようとする課題】
【０００４】
ところで、上述したような積層コンデンサでは、異極性の端子電極を隣接配置させることによりＥＳＬを低減させることはできるものの、等価直列抵抗（以下、「ＥＳＲ」と記す）を更に高くさせる構成とはなっていなかった。このため、ＥＳＬを低減させつつ、更に、ＥＳＲを高くさせることができる積層コンデンサが望まれていた。
【０００５】
本発明は、ＥＳＬを低減させつつ、ＥＳＲを高くさせることが可能な積層コンデンサを提供することを目的とする。
【課題を解決するための手段】
【０００６】
上記課題を解決するため、本発明に係る積層コンデンサは、複数の誘電体層が積層された略直方体形状の素体と、複数の誘電体層のうち何れかの誘電体層上にそれぞれ配置された少なくとも８つの内部電極層と、素体の対向する側面に互いの極性が異なるように交互に配置された少なくとも８つの端子電極と、を備えている。８つの内部電極層のそれぞれは、側面と交差する方向に沿って素体に形成された端面の対向方向に伸びる主電極部と、主電極部を側面に引き出すための引出電極部とを有する。また、８つの内部電極層のそれぞれは、８つの端子電極の何れかに対となるように引出電極部によって接続されている。
【０００７】
そして、上記積層コンデンサにおいて、８つの端子電極のうち端面側に配置された少なくとも１つの端子電極に接続された内部電極層は、主電極部と引出電極部とを連結する連結電極部を更に有する。この連結電極部は、当該連結電極部を有する内部電極層に接続された端子電極が配置された何れかの端面側の主電極部の縁部に接続され、且つ、側面の対向方向における当該長さが引出電極部の端面の対向方向における幅よりも長くなっている。
【０００８】
本発明に係る積層コンデンサでは、内部電極層に接続される各端子電極が互いの極性が異なるように交互に配置されている。この場合、端子電極に流れ出る電流と端子電極から流れ込む電流との向きが逆になり、ＥＳＬを低減させることができる。また、本発明に係る積層コンデンサでは、内部電極層が連結電極部を有し、この連結電極部が端面側の縁部で主電極部に接続されており、その長さが引出電極部の幅よりも長くなっている。この場合、所定の長さを有する連結電極部によって主電極部と引出電極部とが連結されていることから、端子電極と主電極部との間の電流経路が十分に長くなり、ＥＳＲを高くすることができる。
【０００９】
また、上述した積層コンデンサにおいて、端面それぞれの側に配置された全ての端子電極に接続された各内部電極層が上述した連結電極部を有することが好ましい。この場合、端子電極と主電極部との間の電流経路が長くなる箇所が複数となり、ＥＳＲを一層、高くすることができる。
【００１０】
また、上述した積層コンデンサにおいて、連結電極部を有しない内部電極層同士が誘電体層の積層方向において隣接していることが好ましい。この場合、連結電極部を有する内部電極層に比べて比較的広い面積を主電極部にあてることができる内部電極層同士を積層方向に隣接させることができるので、所望の静電容量を容易に確保することができる。つまり、連結電極部を形成することによる静電容量の減少を抑制することができる。
【００１１】
また、上述した積層コンデンサにおいて、連結電極部は、連結電極部に接続される引出電極部が引き出される側面に対向する側面側において、主電極部の縁部に接続されていることが好ましい。この場合、端子電極と主電極部との間の電流経路をより長くすることができ、ＥＳＲを一層、高くすることができる。
【００１２】
また、上述した積層コンデンサにおいて、連結電極部は、当該連結電極部を有する内部電極層とは異なる他の内部電極層と、誘電体層の積層方向において、対向しないようにしてもよい。この場合、連結電極部等を流れる電流が、他の内部電極層に逃げることなく主電極部に到るように流れることになる。このため、端子電極と主電極部との間の電流経路が短くなって抵抗値が減少することが抑制され、ＥＳＲを高いままに維持することができる。
【００１３】
また、上述した積層コンデンサにおいて、連結電極部を有する内部電極層の積層数が、連結電極部を有しない内部電極層の積層数と同じであるようにしてもよい。この場合、高ＥＳＲと所望の静電容量値の確保とのバランスを図ることができる。
【００１４】
また、上述した積層コンデンサにおいて、連結電極部を有する内部電極層の積層数が、連結電極部を有しない内部電極層の積層数よりも多くなるようにしてもよい。この場合、積層コンデンサが、端子電極と主電極部との間の電流経路が長い内部電極層を多く備えることになり、ＥＳＲを一層高くすることができる。
【００１５】
また、上述した積層コンデンサにおいて、連結電極部を有する内部電極層の積層数が、連結電極部を有しない内部電極層の積層数よりも少なくなるようにしてもよい。この場合、積層コンデンサが、連結電極部を有する内部電極層に比べて比較的広い面積を主電極部にあてることができる内部電極層を多く備えることになり、静電容量を大きくすることができる。
【００１６】
また、上述した積層コンデンサにおいて、８つの端子電極は、側面の対向方向において互いに対向する対の端子電極から構成され、対の端子電極それぞれが互いに異極性であるようにしてもよい。この場合、内部電極層の主電極部を流れる電流の向きが積層方向に隣接する他の主電極部の電流と逆向きとなる箇所を生じさせることができ、ＥＳＬを一層低減することが可能である。また、引出電極部の幅が連結電極部の幅よりも狭くなるようにしてもよい。この場合、端子電極と主電極部との間の電流経路における抵抗を高めることになり、ＥＳＲを更に高くすることができる。
【発明の効果】
【００１７】
本発明によれば、ＥＳＬを低減させつつ、ＥＳＲを高くさせることが可能な積層コンデンサを提供することができる。
【図面の簡単な説明】
【００１８】
【図１】本実施形態に係る積層コンデンサの斜視図である。
【図２】コンデンサ素体の分解斜視図である。
【図３】連結電極部を有する内部電極層の平面図である。
【図４】積層コンデンサの変形例における内部電極層の平面図である。
【発明を実施するための形態】
【００１９】
以下、添付図面を参照して、本発明の好適な実施形態について詳細に説明する。なお、説明において、同一要素又は同一機能を有する要素には、同一符号を用いることとし、重複する説明は省略する。
【００２０】
積層コンデンサ１は、図１及び図２に示されるように、略直方体形状のコンデンサ素体３と、コンデンサ素体３の外表面に配置される８つの端子電極１１〜１８と、コンデンサ素体３内に配置される８つの内部電極層２１〜２８とを備えている。
【００２１】
コンデンサ素体３は、複数の誘電体層３０〜３８が積層された積層体である。コンデンサ素体３に含まれる各誘電体層３０〜３８は、例えば、誘電体セラミックを含むセラミックグリーンシートの焼結体から構成される。実際の積層コンデンサ１では、各誘電体層３０〜３８の間の境界が視認できない程度に一体化されている。
【００２２】
コンデンサ素体３は、略直方体形状を呈しており、その外表面として、互いに対向する第一及び第二の主面３ａ，３ｂと、互いに対向し且つ第一及び第二の主面３ａ，３ｂの長辺方向に沿って伸びる第一及び第二の側面３ｃ，３ｄと、互いに対向し且つ第一及び第二の主面３ａ，３ｂの短辺方向に沿って伸びる第一及び第二の端面３ｅ，３ｆとを有している。第一及び第二の側面３ｃ，３ｄと第一及び第二の端面３ｅ，３ｆとは、第一及び第二の主面３ａ，３ｂ間を連結するように伸びている。
【００２３】
端子電極１１〜１８は、内部電極層２１〜２８を外部基板（不図示）等に形成された電極に接続させるための電極であり、コンデンサ素体３の側面３ｃ又は３ｄに配置される。本実施形態では、第一〜第四の端子電極１１〜１４が、第一の端面３ｅから第二の端面３ｆに向かう方向にこの順で第一の側面３ｃに配置される。また、第五〜第八の端子電極１５〜１８が、第二の端面３ｆから第一の端面３ｅに向かう方向にこの順で第二の側面３ｄに配置される。なお、端面３ｅ，３ｆには何れの端子電極も配置されていない。
【００２４】
また、端子電極１１〜１８は、隣り合う端子電極の極性（正極性又は負極性）が交互に異なるように各側面３ｃ，３ｄに配置されている。本実施形態では、第一、第三、第五及び第七の端子電極１１，１３，１５，１７が正極性に接続されるための電極であり、第二、第四、第六及び第八の端子電極１２，１４，１６，１８が負極性に接続されるための電極となっている。言い換えると、各端子電極１１〜１８は、側面３ｃ，３ｄの対向方向において互いに対向する４対の端子電極から構成されており、各対を構成するそれぞれの端子電極が互いに異極性となっている。
【００２５】
このような端子電極１１〜１８は、例えば、導電性金属粉末及びガラスフリットを含む導電性ペーストをコンデンサ素体３の主面３ａから３ｂに到るように各側面３ｃ，３ｄ等の所定箇所に塗布し、焼き付けることによって形成される。必要に応じて、焼き付けられた電極の上にめっき層を形成してもよい。
【００２６】
内部電極層２１〜２８それぞれは、コンデンサ素体３の端面３ｅ，３ｆの対向方向に伸びて長方形状を呈する主電極部２１ａ〜２８ａと、主電極部２１ａ〜２８ａをコンデンサ素体３の側面３ｃ又は３ｄに引き出す引出電極部２１ｂ〜２８ｂと、を備えている。第一〜第八の内部電極層２１〜２８それぞれは、コンデンサ素体３を構成する各誘電体層３１〜３８の上に配置されており、各内部電極層２１〜２８も誘電体層３１〜３８の積層方向と同じ方向に積層される。
【００２７】
内部電極層２１〜２８の主電極部２１ａ〜２８ａは、このような積層により、誘電体層３１〜３８の積層方向（主面３ａ，３ｂの対向方向）において、隣接する主電極部と互いに対向するようになっている。各主電極部２１ａ〜２８ａがそれぞれ対向することにより、積層コンデンサ１において、静電容量部が形成される。
【００２８】
第一〜第八の内部電極層２１〜２８それぞれは、各端子電極１１〜１８と対になるように、第一〜第八の端子電極１１〜１８に電気的且つ物理的に接続されている。つまり、第一の内部電極層２１の引出電極部２１ｂが第一の端子電極１１に、第二の内部電極層２２の引出電極部２２ｂが第二の端子電極１２に、第三の内部電極層２３の引出電極部２３ｂが第三の端子電極１３に、第四の内部電極層２４の引出電極部２４ｂが第四の端子電極１４に、それぞれ接続される。
【００２９】
また、第五の内部電極層２５の引出電極部２５ｂが第五の端子電極１５に、第六の内部電極層２６の引出電極部２６ｂが第六の端子電極１６に、第七の内部電極層２７の引出電極部２７ｂが第七の端子電極１７に、第八の内部電極層２８の引出電極部２８ｂが第八の端子電極１８に、それぞれ接続される。
【００３０】
また、端子電極１１〜１８のうち端面３ｅ，３ｆ側に配置された端子電極１１，１４，１５，１８に接続される、第一，第四、第五及び第八の内部電極層２１，２４，２５，２８は、主電極部２１ａ，２４ａ，２５ａ，２８ａと引出電極部２１ｂ，２４ｂ，２５ｂ，２８ｂとをそれぞれ連結する連結電極部２１ｃ，２４ｃ，２５ｃ，２８ｃを更に有している。
【００３１】
連結電極部２１ｃ，２４ｃ，２５ｃ，２８ｃのそれぞれは、Ｌ字形状又は逆Ｌ字形状を呈しており、その一端が、一方の側面３ｃ又は３ｄ側において、引出電極部２１ｂ，２４ｂ，２５ｂ，２８ｂのそれぞれに接続されており、他端が、他方の側面３ｄ又は３ｃ側において、主電極部２１ａ，２４ａ，２５ａ，２８ａのそれぞれの縁部に接続されている。連結電極部２１ｃ，２４ｃ，２５ｃ，２８ｃが接続される縁部は、その内部電極層２１，２４，２５，２８が接続された端子電極１１，１４，１５，１８が配置された端面３ｅ又は３ｆ側の縁部である。
【００３２】
また、連結電極部２１ｃ等の側面３ｃ，３ｄの対向方向における長さＬは、例えば図３に示されるように、引出電極部２１ｂ等の端面３ｅ，３ｆの対向方向における幅Ｗ１の例えば３〜１０倍程度の長さとなっており、幅Ｗ１よりも長くなっている。また、連結電極部２１ｃ等の幅Ｗ２は、引出電極部２１ｂ等の幅Ｗ１と同じである。更に、連結電極部２１ｃと主電極部２１ａとの間の距離は幅Ｗ３であり、本実施形態では、この幅Ｗ３も幅Ｗ１，Ｗ２と同じになるようにしている。なお、図３では、内部電極層２１の連結電極部２１ｃの場合で説明しているが、他の内部電極層２４，２５，２８の連結電極部２４ｃ，２５ｃ，２８ｃでも同様の関係にある。
【００３３】
端子電極１１〜１８のうち中央側に配置された端子電極１２，１３，１６，１７に接続される、第二，第三、第六及び第七の内部電極層２２，２３，２６，２７は、主電極部２２ａ，２３ａ，２６ａ，２７ａと引出電極部２２ｂ，２３ｂ，２６ｂ，２７ｂとから主に構成されている。このため、内部電極層２２，２３，２６，２７では、主電極部２２ａ，２３ａ，２６ａ，２７ａの面積を、主電極部２１ａ等よりも大きくとることができるようになっている。
【００３４】
また、連結電極部を有しない内部電極層２２，２３及び内部電極層２６，２７は、誘電体層３０〜３８の積層方向において、互いに隣接するように配置されており、主電極部２２ａ，２３ａ及び主電極部２６ａ，２７ａが互いに略全面において対向するように配置されている。なお、本実施形態では、連結電極部２１ｃ，２４ｃ，２５ｃ，２８ｃを有する内部電極層２１，２４，２５，２８の積層数と、連結電極部を有さない内部電極層２２，２３，２６，２７の積層数とは、それぞれが４層であり、両積層数が同じとなっている。
【００３５】
このような内部電極層２１〜２８は、例えば、Ｎｉ，Ａｇ、Ｐｄなどの金属粉末にバインダ樹脂等を混合した導電性ペーストを、各誘電体層３１〜３８上の所定箇所にスクリーン印刷し、これらを乾燥、焼成することによって形成される。なお、上述した連結電極部２１ｃを有する内部電極層２１等は、スクリーン印刷の際、連結電極部２１ｃと主電極部２１ａとの間に幅Ｗ３のスリットが形成されるように導電性ペーストを印刷等することによって形成することができる。
【００３６】
以上のように、本実施形態に係る積層コンデンサ１では、内部電極層２１〜２８に接続される各端子電極１１〜１８が互いの極性が異なるように配置されている。このため、内部電極層２２，２４，２６，２８から負極性の端子電極１２，１４，１６，１８に流れ出る電流と、正極性の端子電極１１，１３，１５，１７から内部電極層２１，２３，２５，２７へと流れ込む電流との向きが、隣接する引出電極部２１ｂ〜２８ｂにおいて逆となり、積層コンデンサ１のＥＳＬを効果的に低減することができる。
【００３７】
しかも、積層コンデンサ１では、内部電極層２１，２４，２５，２８が連結電極部２１ｃ，２４ｃ，２５ｃ，２８ｃを有し、この連結電極部２１ｃ等が端面３ｅ又は３ｆ側の縁部で主電極部２１ａ，２４ａ，２５ａ，２８ａに接続されており、その長さＬが引出電極部２１ｂ，２４ｂ，２５ｂ，２８ｂの幅Ｗ１よりも長くなっている。このように、所定の長さＬを有する連結電極部２１ｃ等によって主電極部２１ａ等と引出電極部２１ｂ等とが連結されていることから、端子電極１１，１４，１５，１８と主電極部２１ａ，２４ａ，２５ａ，２８ａとの間の電流経路を十分に長くして、積層コンデンサ１のＥＳＲを高くすることができる。
【００３８】
また、積層コンデンサ１において、端面３ｅ，３ｆ側に配置された全ての端子電極１１，１４，１５，１８に接続された各内部電極層２１，２４，２５，２８がこのような連結電極部２１ｃ，２４ｃ，２５ｃ，２８ｃを有している。このため、端子電極と主電極部との間の電流経路が長くなる箇所が複数となり、積層コンデンサ１のＥＳＲを一層、高くすることができる。
【００３９】
また、積層コンデンサ１において、連結電極部を有しない内部電極層２２，２３及び内部電極層２６，２７が誘電体層３０〜３８の積層方向において隣接し、しかも、略全面において互いに対向するように配置されている。このため、連結電極部２１ｃ等を有する内部電極層２１等に比べて比較的広い面積を主電極部２２ａ，２３ａ，２６ａ，２７ａにあてることができる内部電極層２２，２３及び内部電極層２６，２７を積層方向に隣接させ且つ対向させることができるので、所望の静電容量を容易に確保することができる。つまり、連結電極部２１ｃ，２４ｃ，２５ｃ，２８ｃを形成することによる静電容量の減少を抑制することができる。
【００４０】
また、積層コンデンサ１において、連結電極部２１ｃ，２４ｃ，２５ｃ，２８ｃは、連結電極部２１ｃ等に接続される引出電極部２１ｂ，２４ｂ，２５ｂ，２８ｂが引き出される一方の側面３ｃ又は３ｄに対向する他方の側面３ｄ又は３ｃ側において、主電極部２１ａ，２４ａ，２５ａ，２８ａの縁部に接続されるようになっている。このため、端子電極１１，１４，１５，１８と主電極部２１ａ，２４ａ，２５ａ，２８ａとの間の電流経路をより長くすることができ、ＥＳＲを一層、高くすることができる。
【００４１】
また、積層コンデンサ１において、端子電極１１〜１８は、側面３ｃ，３ｄの対向方向において互いに対向する対の端子電極１１，１８と１２，１７と１３，１６と１４，１５とから構成され、対の端子電極それぞれが互いに異極性となっている。この場合、積層コンデンサ１では、例えば内部電極層２４の主電極部２４ａを流れる電流の向きと、積層方向に隣接する内部電極層２５の主電極部２５ａの電流の向きとが逆になるように構成され、これにより、ＥＳＬを低減することができる。
【００４２】
なお、図２に示した８つの内部電極層２１〜２８を１組とし、積層コンデンサ１に２組以上の内部電極層２１〜２８を積層させた場合にあっては、１組目の内部電極層２８と２組目の内部電極層２１とが積層方向において隣接する構成となり、上記同様、主電極部２８ａを流れる電流の向きと主電極部２１ａを流れる電流の向きとが逆向きとなり、これによっても、ＥＳＬを低減することができる。
【００４３】
以上、本発明の好適な実施形態について詳細に説明したが、本発明は上記実施形態に限定されるものではなく、種々の変形が可能である。例えば、上記実施形態では、連結電極部２１ｃ等を有する内部電極層２１等の積層数が、連結電極部２１ｃ等を有しない内部電極層２２等の積層数と同じになるようにして、高ＥＳＲと所望の静電容量値の確保とのバランスを図るようにしている。
【００４４】
これに対し、連結電極部を有する内部電極層の積層数が、連結電極部を有しない内部電極層の積層数よりも多くなるようにしてもよい。この場合、端子電極と主電極部との間の電流経路が長い内部電極層を積層コンデンサが多く備えることになり、ＥＳＲを一層高くすることができる。また、逆に、連結電極部を有する内部電極層の積層数が、連結電極部を有しない内部電極層の積層数よりも少なくなるようにしてもよい。この場合、連結電極部を有する内部電極層に比べて比較的広い面積を主電極部にあてることができる内部電極層を積層コンデンサが多く備えることになり、静電容量を大きくすることができる。
【００４５】
なお、上述した説明から明らかなように、積層コンデンサ１における積層数は、実施形態で説明した積層数（コンデンサ素体３全体として誘電体層が９層及び内部電極層が８層）に限定されるわけではなく、所望のＥＳＲ、ＥＳＬ及び静電容量等を考慮して、各積層数を適宜調整するようにしてももちろんよい。
【００４６】
また、積層コンデンサ１では、例えば連結電極部を有しない内部電極層２２が、積層方向において隣接する内部電極層２１の連結電極部２１ｃに対向する領域を含む主電極部２２ａを有していたが、図４に示されるように、連結電極部２１ｃが、当該連結電極部２１ｃを有する内部電極層２１とは異なる内部電極層２２と、誘電体層の積層方向において、対向しないような構成としてもよい。つまり、内部電極層２２の主電極部２２ａが、連結電極部２１ｃと積層方向において対向する部分を欠いた構成となるようにしてもよい。
【００４７】
このように、主電極部２２ａが連結電極部２１ｃと対向しないことにより、連結電極部２１ｃを流れる電流が、内部電極層２２に逃げることなく主電極部２１ａに到るように流れることになる。このため、端子電極１１と主電極部２１ａとの間の電流経路が短くなって抵抗値が減少することが抑制され、ＥＳＲを高いままに維持することができる。なお、引出電極部２１ｂは元々主電極部２２ａと対向していないため、引出電極部２１ｂを流れる電流も内部電極層２２に逃げることはない。
【００４８】
また、積層コンデンサ１では、引出電極部２１ｂの幅Ｗ１と連結電極部２１ｃの幅Ｗ２が同じである場合で説明したが、引出電極部２１ｂの幅Ｗ１が連結電極部２１ｃの幅Ｗ２よりも狭くなるようにしてもよい。この場合、端子電極１１と主電極部２１ａとの間の電流経路等における抵抗が更に高くなり、ＥＳＲを一層高くすることができる。また、連結電極部２１ｃの幅Ｗ２が連結電極部２１ｃと主電極部２１ａとの間の幅Ｗ３よりも狭くなるようにしてもよい。この場合も、端子電極１１と主電極部２１ａとの間の電流経路等における抵抗が更に高くなり、ＥＳＲを一層高くすることができる。
【００４９】
また、逆に、積層コンデンサ１において、連結電極部２１ｃと主電極部２１ａとの間の幅Ｗ３が引出電極部２１ｂの幅Ｗ１や連結電極部２１ｃの幅Ｗ２よりも狭くなるようにしてもよい。この場合、主電極部２１ａの面積を大きくすることができるので、静電容量を大きくすることができる。また、このような場合において、連結電極部２１ｃの幅Ｗ２を引出電極部２１ｂの幅Ｗ１よりも狭くすると、主電極部２１ａの面積を一層、大きくすることができるので、静電容量を更に大きくすることができる。なお、各幅Ｗ１〜Ｗ３を上述したように変更させてＥＳＲを高めたり、静電容量を大きくしたりできるのは、連結電極部を有する他の内部電極層２４等でも同様である。
【００５０】
また、積層コンデンサ１では、連結電極部２１ｃ等の形状として、Ｌ字形状又は逆Ｌ字形状を例にとって説明したが、連結電極部２１ｃ等の形状はこれに限定されるものではなく、引出電極部２１ｂ等と主電極部２１ａ等の縁部とを連結し得る形状であればよく、特に限定されるものではない。また、積層コンデンサ１では、端子電極や内部電極層が８つの場合で説明したが、端子電極や内部電極層が８つより多い場合（例えば１０個の端子電極等）であっても同様である。
【符号の説明】
【００５１】
１…積層コンデンサ、３…コンデンサ素体、３ｃ，３ｄ…側面、３ｅ，３ｆ…端面、１１〜１８…端子電極、２１〜２８…内部電極層、２１ａ〜２８ａ…主電極部、２１ｂ〜２８ｂ…引出電極部、２１ｃ，２４ｃ，２５ｃ，２８ｃ…連結電極部、３０〜３８…誘電体層、Ｌ…長さ、Ｗ１〜Ｗ３…幅。
【図１】
0005182332.tif 000002
【図２】
0005182332.tif 000003
【図３】
0005182332.tif 000004
【図４】
0005182332.tif 000005